(57)【要約】  係合部材を有するカメラとともに使用するためのカメラ運搬筐体。筐体は、ショルダーストラップ、およびその一端がショルダーストラップに摺動可能に取り付けられ、他方の端部がカメラまたは同様のデバイスに取付け可能なカメラ取付けストラップを含む。筐体により、使用者がカメラを固定された搬送位置から固定された作動位置に移送することができる。筐体は、カメラを搬送するいくつかの手法を提供するように構成可能である。リストストラップは、筐体またはカメラに選択的に連結可能である。【選択図】図６
2013520689.tif 000002
【特許請求の範囲】
【請求項１】
係合部分を有するカメラとともに使用するためのカメラ運搬筐体であって、前記カメラバッグは、
包囲された内部領域および壁によって画定された外部を有する筐体本体であって、前記壁は、開口部を有し、前記開口部は、前記開口部を通して前記内部領域と前記外部との間を前記カメラが通過するサイズにされ、前記筐体本体はさらに、前記開口部に配置され、前記カメラを前記内部領域の内外に移動させるために、前記開口部を通って前記カメラが通過可能な開位置と、前記開口部を閉じる閉位置との間を選択的に移動可能な扉を有し、前記内部領域は、前記カメラをその中に完全に受け入れ、前記内部領域の中に前記カメラを有する前記閉位置に前記扉を移動させることができるサイズにされた、筐体本体と、
第１の端部および第２の端部を備えたショルダーストラップであって、それぞれが前記筐体本体の前記外部に取り付けられた、ショルダーストラップと、
解除可能に一緒に取り付けられた第１の部分および第２の部分を有する第１の結合器であって、前記第１の結合器の前記第１の部分は、前記ショルダーストラップと摺動可能に係合するように構成され、前記カメラの下げられた搬送位置と前記カメラの持ち上げられた操作位置との間を前記ショルダーストラップに沿って前記第１の結合器が摺動して移動可能であるのに十分な距離を前記ショルダーストラップに沿って摺動可能である、第１の結合器と、
第１の端部および第２の端部を有するカメラ取付けストラップであって、前記カメラ取付けストラップの前記第１の端部は、前記第１の結合器の前記第２の部分に取り付けられ、前記カメラ取付けストラップの前記第２の端部は、前記カメラの前記係合部分に取付け可能であり、前記カメラ取付けストラップは、前記カメラが前記筐体本体の前記壁の前記開口部を通過し、前記第１の結合器の前記第１の部分が前記第１の結合器の前記第２の部分に取り付けられているときに、前記内部領域の中に完全に収まることが可能な長さであり、前記筐体本体の前記扉は、前記扉が前記閉位置にあるときに、前記壁と前記扉との間の通路を画定するように構成され、前記通路は、前記カメラ取付けストラップが前記通路を通って延在し、それによって前記扉が前記閉位置にあるときに、前記筐体本体の前記内部領域の内側から前記筐体本体の前記外部に通過できるサイズにされた、カメラ取付けストラップと、を備えるカメラ運搬筐体。
【請求項２】
前記ショルダーストラップの前記第１の端部は、第２の結合器により前記筐体本体の前記外部に取り付けられ、前記ショルダーストラップの前記第２の端部は、第３の結合器により前記筐体本体の前記外部に取り付けられ、前記第２の結合器は、解除可能に一緒に取り付けられた第１の部分および第２の部分を有し、前記第２の結合器の前記第１の部分は、前記筐体本体の前記外部に取り付けられ、前記第２の結合器の前記第２の部分は、前記ショルダーストラップの前記第１の端部に取り付けられ、前記第３の結合器は、解除可能に一緒に取り付けられた第１の部分および第２の部分を有し、前記第３の結合器の前記第１の部分は、前記筐体本体の前記外部に取り付けられ、前記第３の結合器の前記第２の部分は、前記ショルダーストラップの前記第２の端部に取り付けられ、前記第１の結合器の前記第２の部分および前記第２の結合器の前記第１の部分は、前記第１の結合器の前記第２の部分が前記第１の結合器の前記第１の部分から分離され、前記第２の結合器の前記第１の部分が前記第２の結合器の前記第２の部分から分離されているとき、解除可能に一緒に結合できるように構成され、前記カメラ取付けストラップは、前記カメラが前記筐体本体の前記壁の前記開口部を通過し、前記第１の結合器の前記第２の部分が前記第２の結合器の前記第１の部分に取り付けられているときに、前記内部領域の中に完全に収まることが可能な長さであり、それによって前記カメラ取付けストラップは、前記ショルダーストラップから選択的に分離され、前記筐体本体に直接連結されることができる一方で、前記筐体本体の前記内部領域内に配置可能である、請求項１に記載のカメラ運搬筐体。
【請求項３】
前記第２の結合器の前記第１の部分は、前記第３の結合器の前記第１の部分が前記筐体本体の前記外部に取り付けられる位置より、前記開口部に近い位置で前記筐体本体の前記外部に取り付けられる、請求項２に記載のカメラ運搬筐体。
【請求項４】
前記第２の結合器の前記第１の部分は、前記開口部の第１の部分に近い位置で前記筐体本体の前記外部に取り付けられ、前記第３の結合器の前記第１の部分は、前記開口部の前記第１の部分から離間した前記開口部の第２の部分に近い位置で、前記筐体本体の前記外部に取り付けられる、請求項２に記載のカメラ運搬筐体。
【請求項５】
前記第３の結合器の前記第２の部分が、前記第３の結合器の前記第１の部分から分離されているときに、前記第３の結合器の前記第１の部分に解除可能に結合できるように構成され、それによって前記ショルダーストラップを前記筐体本体から選択的に完全に分離することができる、第４の結合器に取り付けられたリストストラップをさらに含み、前記リストストラップは、前記カメラ取付けストラップが前記筐体本体に選択的に直接連結された状態で、前記ショルダーストラップの代わりに前記リストストラップを使用して、前記筐体本体を運搬するために前記筐体本体に選択的に連結される、請求項２に記載のカメラ運搬筐体。
【請求項６】
係合部分を有するカメラとともに使用するためのカメラ運搬筐体であって、前記カメラバッグは、
包囲された内部領域および壁によって画定された外部を有する筐体本体であって、前記壁は、開口部を有し、前記開口部は、前記開口部を通して前記内部領域と前記外部との間を前記カメラが通過するサイズにされ、前記筐体本体はさらに、前記開口部に配置され、前記カメラを前記内部領域の内外に移動させるために、前記開口部を通って前記カメラが通過可能な開位置と、前記開口部を閉じる閉位置との間を選択的に移動可能な扉を有し、前記内部領域は、前記カメラをその中に完全に受け入れ、前記内部領域の中に前記カメラを有する前記閉位置に前記扉を移動させることができるサイズにされた、筐体本体と、
第１の端部および第２の端部を備えたショルダーストラップであって、それぞれが前記筐体本体を運搬するために前記筐体本体に取り付けられた、ショルダーストラップと、
解除可能に一緒に取り付けられた第１の部分および第２の部分を有する第１の結合器であって、前記第１の結合器の前記第１の部分は、前記ショルダーストラップと摺動可能に係合するように構成され、前記カメラの下げられた搬送位置と前記カメラの持ち上げられた操作位置との間を前記ショルダーストラップに沿って前記第１の結合器が摺動して移動可能であるのに十分な距離を前記ショルダーストラップに沿って摺動可能である、第１の結合器と、
第１の端部および第２の端部を有するカメラ取付けストラップであって、前記カメラ取付けストラップの前記第１の端部は、前記第１の結合器の前記第２の部分に取り付けられ、前記カメラ取付けストラップの前記第２の端部は、前記カメラの前記係合部分に取付け可能であり、前記カメラ取付けストラップは、前記カメラが前記筐体本体の前記壁の前記開口部を通過し、前記第１の結合器の前記第１の部分が前記第１の結合器の前記第２の部分に取り付けられているときに、前記内部領域の中に完全に収まることが可能な長さであり、前記筐体本体の前記扉は、前記扉が前記閉位置にあるときに、前記壁と前記扉との間の通路を画定するように構成され、前記通路は、前記カメラ取付けストラップが前記通路を通って延在し、それによって前記扉が前記閉位置にあるときに、前記筐体本体の前記内部領域の内側から前記筐体本体の前記外部に通過できるサイズにされている、カメラ取付けストラップと、を備えるカメラ運搬筐体。
【請求項７】
前記ショルダーストラップの前記第１の端部は、第２の結合器により前記筐体本体に取り付けられ、前記ショルダーストラップの前記第２の端部は、第３の結合器により前記筐体本体に取り付けられ、前記第２の結合器は、解除可能に一緒に取り付けられた第１の部分および第２の部分を有し、前記第２の結合器の前記第１の部分は、前記筐体本体に取り付けられ、前記第２の結合器の前記第２の部分は、前記ショルダーストラップの前記第１の端部に取り付けられ、前記第３の結合器は、解除可能に一緒に取り付けられた第１の部分および第２の部分を有し、前記第３の結合器の前記第１の部分は、前記筐体本体に取り付けられ、前記第３の結合器の前記第２の部分は、前記ショルダーストラップの前記第２の端部に取り付けられ、前記第１の結合器の前記第２の部分および前記第２の結合器の前記第１の部分は、前記第１の結合器の前記第２の部分が前記第１の結合器の前記第１の部分から分離され、前記第２の結合器の前記第１の部分が前記第２の結合器の前記第２の部分から分離されているとき、解除可能に一緒に結合できるように構成され、前記カメラ取付けストラップは、前記カメラが前記筐体本体の前記壁の前記開口部を通過し、前記第１の結合器の前記第２の部分が前記第２の結合器の前記第１の部分に取り付けられているときに、前記内部領域の中に完全に収まることが可能な長さであり、それによって前記カメラ取付けストラップは、前記ショルダーストラップから選択的に分離され、前記筐体本体に直接連結されることができる一方で、前記筐体本体の前記内部領域内に配置可能である、請求項６に記載のカメラ運搬筐体。
【請求項８】
前記第２の結合器の前記第１の部分は、前記第３の結合器の前記第１の部分が前記筐体本体に取り付けられる位置より、前記開口部に近い位置で前記筐体本体に取り付けられる、請求項７に記載のカメラ運搬筐体。
【請求項９】
前記第２の結合器の前記第１の部分は、前記開口部の第１の部分に近い位置で前記筐体本体の前記外部に取り付けられ、前記第３の結合器の前記第１の部分は、前記開口部の前記第１の部分から離間した前記開口部の第２の部分に近い位置で、前記筐体本体の前記外部に取り付けられる、請求項７に記載のカメラ運搬筐体。
【請求項１０】
前記第３の結合器の前記第２の部分が、前記第３の結合器の前記第１の部分から分離されているときに、前記第３の結合器の前記第１の部分に解除可能に結合できるように構成され、それによって前記ショルダーストラップを前記筐体本体から選択的に完全に分離することができる、第４の結合器に取り付けられたリストストラップをさらに含み、前記リストストラップは、前記カメラ取付けストラップが前記筐体本体に選択的に直接連結された状態で、前記ショルダーストラップの代わりに前記リストストラップを使用して、前記筐体本体を運搬するために前記筐体本体に選択的に連結される、請求項７に記載のカメラ運搬筐体。
【請求項１１】
係合部分を有するカメラとともに使用するためのカメラ運搬筐体であって、前記カメラバッグは、
包囲された内部領域、および開口部を有し、前記開口部は、前記開口部を通して前記内部領域と前記筐体本体の外部との間を前記カメラが通過するサイズにされた前記開口部を有し、前記筐体本体はさらに、前記開口部に配置され、前記カメラを前記内部領域の内外に移動させるために、前記開口部を通って前記カメラが通過可能な開位置と、前記開口部を閉じる閉位置との間を選択的に移動可能な扉を有し、前記内部領域は、前記カメラをその中に完全に受け入れ、前記内部領域の中に前記カメラを有する前記閉位置に前記扉を移動させることができるサイズにされた、筐体本体と、
第１の端部および第２の端部を備えたショルダーストラップであって、それぞれが前記筐体本体を運搬するために前記筐体本体に取り付けられた、ショルダーストラップと、
解除可能に一緒に取り付けられた第１の部分および第２の部分を有する第１の結合器であって、前記第１の結合器の前記第１の部分は、前記ショルダーストラップと摺動可能に係合するように構成され、前記カメラの下げられた搬送位置と前記カメラの持ち上げられた操作位置との間を前記ショルダーストラップに沿って前記第１の結合器が摺動して移動可能であるのに十分な距離を前記ショルダーストラップに沿って摺動可能である、第１の結合器と、
第１の端部および第２の端部を有するカメラ取付けストラップであって、前記カメラ取付けストラップの前記第１の端部は、前記第１の結合器の前記第２の部分に取り付けられ、前記カメラ取付けストラップの前記第２の端部は、前記カメラの前記係合部分に取付け可能であり、前記カメラ取付けストラップは、前記カメラが前記筐体本体の前記開口部を通過し、前記第１の結合器の前記第１の部分が前記第１の結合器の前記第２の部分に取り付けられているときに、前記内部領域の中に完全に収まることが可能な長さであり、前記筐体本体の前記扉は、通路を画定し、前記扉は、前記閉位置にあるときに、前記カメラ取付けストラップが前記通路を通って延在し、それによって前記扉が前記閉位置にあるときに、前記筐体本体の前記内部領域の内側から前記筐体本体の前記外部に通過可能なサイズに通路を画定する、カメラ取付けストラップと、を備えるカメラ運搬筐体。
【請求項１２】
前記ショルダーストラップの前記第１の端部は、解除可能に一緒に取り付けられた第１の部分および第２の部分を有する、第２の結合器により前記筐体本体の前記外部に取り付けられ、前記第２の結合器の前記第１の部分は、前記筐体本体に取り付けられ、前記第２の結合器の前記第２の部分は、前記ショルダーストラップの前記第１の端部に取り付けられ、前記第１の結合器の前記第２の部分および前記第２の結合器の前記第１の部分は、前記第１の結合器の前記第２の部分が前記第１の結合器の前記第１の部分から分離され、前記第２の結合器の前記第１の部分が前記第２の結合器の前記第２の部分から分離された際に、解除可能に一緒に結合できるように構成され、前記カメラ取付けストラップは、前記カメラが前記筐体本体の前記開口部を通過し、前記第１の結合器の前記第２の部分が前記第２の結合器の前記第１の部分に取り付けられているときに、前記内部領域の中に完全に収まることが可能な長さであり、それによって前記カメラ取付けストラップは、前記ショルダーストラップから選択的に分離され、前記筐体本体に直接連結されることができる一方で、前記筐体本体の前記内部領域内に配置可能である、請求項１１に記載のカメラ運搬筐体。
【請求項１３】
前記第１の結合器の前記第２の部分が、前記第１の結合器の前記第１の部分から分離されているときに、前記第１の結合器の前記第２の部分に解除可能に結合できるように構成された、リストストラップ結合器に取り付けられたリストストラップをさらに含み、それによって、前記カメラ取付けストラップを前記ショルダーストラップおよび前記筐体本体から選択的に完全に分離することができ、前記リストストラップは、前記カメラ取付けストラップを前記ショルダーストラップまたは前記筐体本体に連結することなく、前記リストストラップを使用して前記カメラを運搬するために、前記カメラ取付けストラップに選択的に連結される、請求項１２に記載のカメラ運搬筐体。
【請求項１４】
前記筐体本体は、前記開口部を備えた壁部分を有し、前記扉は、下部ならびに第１および第２の対向する側部を有し、前記扉の前記下部は、前記開口部の下の前記壁部にヒンジで連結され、前記第１の側部は、前記壁部を第１のジッパ部により前記開口部の片側に連結可能であり、前記第２の側部は、前記壁部を第２のジッパ部により前記開口部の他方の側に連結可能であり、前記第１および第２のジッパ部は、前記カメラが前記筐体本体の前記内部領域内にあり、前記扉が前記閉位置にあるときに、前記カメラ取付けストラップが通って延在するための前記通路を画定する位置から離間した位置で前記開口部の上で終結する、請求項１１に記載のカメラ運搬筐体。
【請求項１５】
前記筐体本体は、前記開口部を備えた壁部分を有し、前記扉は、第１の取付け部分および前記第１の取付け部分から離間した第２の取付け部分を有し、前記扉の前記第１の取付け部分は、前記開口部に隣接した前記壁部分にヒンジで連結され、前記第２の取付け部分は、前記カメラが前記筐体本体の前記内部領域内にあり、前記扉が前記閉位置にあるときに、前記カメラ取付けストラップが通って延在する通路を画定するために、前記扉の少なくとも一部が閉位置にあるときに前記壁部分から分離された状態で前記扉が閉位置に維持されるように、前記壁部分に解除可能に取り付け可能な、請求項１１に記載のカメラ運搬筐体。
【請求項１６】
係合部分を有するカメラとともに使用するためのカメラ運搬筐体であって、前記カメラバッグは、
包囲された内部領域、および開口部を有し、前記開口部は、前記開口部を通って前記内部領域と前記筐体本体の外部との間を前記カメラが通過するサイズにされ、前記筐体本体はさらに、前記開口部に配置され、前記カメラを前記内部領域の内外に移動させるために、前記開口部を通って前記カメラが通過可能な開位置と、前記開口部を閉じる閉位置との間を選択的に移動可能な扉を有し、前記内部領域は、前記カメラを前記内部領域の中に完全に受け入れ、前記内部領域の中に前記カメラがある状態で前記閉位置に前記扉を移動させることができるサイズにされた、筐体本体と、
第１の端部および第２の端部を備えたショルダーストラップであって、それぞれが前記筐体本体を運搬するために前記筐体本体に取り付けられた、ショルダーストラップと、
前記ショルダーストラップと摺動可能に係合するように構成され、前記第１の結合器が前記カメラの下げられた搬送位置と前記カメラの持ち上げられた操作位置との間を前記ショルダーストラップに沿って摺動して移動可能であるのに十分な距離を前記ショルダーストラップに沿って摺動可能である第１の結合器と、
第１の端部および第２の端部を有するカメラ取付けストラップであって、前記カメラ取付けストラップの前記第１の端部は、前記第１の結合器に取り付けられ、前記カメラ取付けストラップの前記第２の端部は、前記カメラの前記係合部分に取付け可能であり、前記カメラ取付けストラップは、前記カメラが前記筐体本体の前記開口部を通過し、前記第１の結合器がショルダーストラップに取り付けられているときに、前記内部領域の中に完全に収まることが可能な長さであり、前記筐体本体の前記扉は、通路を画定し、前記扉は、前記閉位置にあるときに、前記カメラ取付けストラップが前記通路を通って延在し、それによって前記扉が前記閉位置にあるときに、前記筐体本体の前記内部領域の内側から前記筐体本体の前記外部に通過可能なサイズに通路を画定する、カメラ取付けストラップと、を備えるカメラ運搬筐体。
【請求項１７】
前記筐体本体は、前記開口部を備えた壁部分を有し、前記扉は、下部ならびに第１および第２の対向する側部を有し、前記扉の前記下部は、前記開口部の下の前記壁部にヒンジで連結され、前記第１の側部は、前記壁部を第１のジッパ部により前記開口部の片側に連結可能であり、前記第２の側部は、前記壁部を第２のジッパ部により前記開口部の他方の側に連結可能であり、前記第１および第２のジッパ部は、前記カメラが前記筐体本体の前記内部領域内にあり、前記扉が前記閉位置にあるときに、前記カメラ取付けストラップが前記通路を通して延在するための前記通路を画定する位置から離間した位置で前記開口部の上で終結する、請求項１６に記載のカメラ運搬筐体。
【請求項１８】
前記筐体本体は、前記開口部を備えた壁部分を有し、前記扉は、第１の取付け部分および前記第１の取付け部分から離間した第２の取付け部分を有し、前記扉の前記第１の取付け部分は、前記開口部に隣接した前記壁部分にヒンジで連結され、前記第２の取付け部分は、前記カメラが前記筐体本体の前記内部領域内にあり、前記扉が前記閉位置にあるときに、前記カメラ取付けストラップが通って延在する通路を画定するために、前記扉の少なくとも一部が閉位置にあるときに前記壁部分から分離された状態で前記扉が閉位置に維持されるように、前記壁部分に解除可能に取り付け可能な、請求項１６に記載のカメラ運搬筐体。
【請求項１９】
係合部分を有するカメラとともに使用するためのカメラ運搬筐体であって、前記カメラバッグは、
包囲された内部領域、および開口部を有し、前記開口部は、前記開口部を通って前記内部領域と前記筐体本体の外部との間を前記カメラが通過するサイズにされ、前記内部領域は、前記カメラをその中に完全に受け入れるサイズにされた、筐体本体と、
第１の端部および第２の端部を備えたショルダーストラップであって、それぞれが前記筐体本体を運搬するために前記筐体本体に取り付けられた、ショルダーストラップと、
前記ショルダーストラップと摺動可能に係合するように構成された第１の結合器であって、前記第１の結合器が前記カメラの下げられた搬送位置と前記カメラの持ち上げられた操作位置との間を前記ショルダーストラップに沿って摺動して移動可能であるのに十分な距離を前記ショルダーストラップに沿って摺動可能である第１の結合器と、
第１の端部および第２の端部を有するカメラ取付けストラップであって、前記カメラ取付けストラップの前記第１の端部は、前記第１の結合器に取り付けられ、前記カメラ取付けストラップの前記第２の端部は、前記カメラの前記係合部分に取付け可能であり、前記カメラ取付けストラップは、前記カメラが前記筐体本体の前記開口部を通過し、前記第１の結合器がショルダーストラップと係合されているときに、前記内部領域の中に完全に収まることが可能な長さである、カメラ取付けストラップと、を備えるカメラ運搬筐体。
【発明の詳細な説明】
【技術分野】
【０００１】
本発明は、カメラなどのデバイスを保管し運搬する一方で、デバイスを装置から分離することなく、デバイスを保管した位置から作動する位置に移送可能な装置に関する。
【背景技術】
【０００２】
従来のカメラ保管運搬システムは、カメラを非使用時に保管し搬送する助けとなる。遺憾ながら、それらのシステムには、保管したカメラの取出しを妨げ、遅らせる可能性がある態様が含まれ、その結果シャッターチャンスを逃してしまう。さらに、保護筐体内に保管されていないカメラは、誤ってカメラを落とすことによって損傷する危険性がある。
【図面の簡単な説明】
【０００３】
【図１】ショルダーストラップ、摺動可能に係合した結合器、取付けストラップおよび筐体の構成を示す、構成可能な装置を実装した側面図である。
【図２】筐体の平面図である。
【図３】さらに筐体内のカメラの保管を示す、図１に示された実装の部分側面図である。
【図４】さらに開位置にある筐体の扉を示す、図３に示された実装の断面側面図である。
【図５】さらに筐体の開口部を通って移送するカメラを示す、図３に示された実装の断面側面図である。
【図６】筐体の外側にあり、ショルダーストラップと摺動可能に係合するカメラを示す、図３に示された実装の側面図である。
【図７】さらに筐体から分離されたショルダーストラップを示す、図６に示された実装の側面図である。
【図８】それ自体に連結したショルダーストラップ、摺動可能に係合した結合器、取付けストラップ、およびカメラの構成を示す、構成可能な装置を実装した側面図である。
【図９】さらにショルダーストラップから分離された取付けストラップおよびカメラを示す、図８に示された実装の側面図である。
【図１０】筐体、リストストラップ、取付けストラップ、および筐体の外側に配置されたカメラを示す、構成可能な装置を実装した側面図である。
【図１１】リストストラップ、筐体、取付けストラップ、および筐体内に配置されたカメラの構成を示す、構成可能な装置を実装した側面図である。
【図１２】リストストラップ、取付けストラップ、およびカメラの構成を示す、構成可能な装置を実装した側面図である。
【図１３】従来のカメラ取付け点に代替的に取り付けられた取付けストラップを示す側面図である。
【図１４】ショルダーストラップ、摺動可能に係合した結合器、取付けストラップ、および筐体の構成を示す、構成可能な装置の第１の代替実装の正面斜視図である。
【図１５】さらに開位置にある筐体の扉を示す、図１４に示された実装の正面斜視図である。
【図１６】ショルダーストラップ、摺動可能に係合した結合器、取付けストラップおよび筐体の構成を示す、構成可能な装置の第２の代替実装の正面斜視図である。
【図１７】さらに開位置にある筐体の扉を示す、図１６に示された実装の正面斜視図である。
【発明を実施するための形態】
【０００４】
ここで図を詳細に参照すると、概して外部３６および包囲された内部区画または領域３８を備える、筐体３４を含む装置またはカメラ運搬筐体が示されている（図４を参照のこと）。カメラ５０または同様のデバイスは、非作動中は内部領域３８内に保管される。内部領域３８には、筐体の一端に配置された開口部４４を通って侵入することができる。開口部は、カメラ５０が通過可能なサイズおよび形状である。扉４０は、閉位置にあるときに開口部を包含するように、開口部に隣接してヒンジで連結される位置に配置され、したがって筐体３４の内部領域３８への侵入を制限する。閉位置にある間は、扉は、１対のジッパなどの密閉具４２によって筐体にさらに固定されてもよい。扉４０が開位置にある状態で、カメラ５０は、開口部４４を通って移送可能であり、カメラを搬送および保管するために内部領域３８内に配置する、または使用および作動するために筐体の外側６２に配置することができる。
【０００５】
図１に示されたように、第２の結合器１２は、第１の部分１６および第２の部分１４を有する。第２の結合器１２の第１の部分１６は、筐体３４の外部３６に取り付けられる。第３の結合器１８は、第１の部分２０および第２の部分２２を有する。第３の結合器１８の第１の部分２０は、筐体の外部に取り付けられ、第２の結合器１２の第１の部分１６から離れて配置される。第２の結合器１２の第２の部分１４は、ショルダーストラップ１０の第１の端部１０ａに取り付けられる。第３の結合器１８の第２の部分２２は、ショルダーストラップ１０の第２の端部１０ｂに取り付けられる。第２の結合器１２の第１の部分１６および第２の部分１４は互いに連結され、第３の結合器１８の第１の部分２０および第２の部分２２が互いに連結されている間、ストラップ１０は、記載された装置を使用者の肩に掛けることを容易にする。ストラップの長さは、ショルダーストラップ１０の第２の端部１０ｂ付近に配置されたアジャスタ１１を作動することによって調節できる。
【０００６】
図３、４、および５に示されたように、カメラ５０は、カメラ取付けストラップ３０を使用することにより装置と連結する。取付けストラップ３０の第２の端部３１は、カメラ上に配置された係合点５２あるいはカメラ三脚ネジ穴５４を使用することにより、カメラに取り付けられる。カメラの三脚ネジ穴５４を使用する際に、カメラ取付けストラップ３０の第２の端部３１は、カメラの三脚ネジ穴５４と摺動可能に係合する締結具３２に取り付けられる。カメラ取付けストラップ３０の第１の端部２９は、第１の結合器２４の第２の部分２６に取り付けられる。図３に示されたように、カメラ５０が筐体３４の内部領域３８内に配置され、扉４０が閉位置にある状態で、カメラ取付けストラップ３０は、内部から通路４８を通って外側６２に通過することが可能である。
【０００７】
図６に示されたように、第１の結合器２４は、開口部２５の中でそこを通ってショルダーストラップ１０が摺動して通過できるサイズおよび形状にされた開口部２５を有する第１の部分２８を有する。第１の結合器２４は、ショルダーストラップ１０と摺動可能に係合する。第１の部分２８および第２の部分２６が一緒に連結されるように、第１の結合器２４が結合されると、カメラ取付けストラップ３０およびカメラ５０は、動き５６によって示されたように、ストラップ１０と摺動可能に係合するようになる。
【０００８】
図７に示されたように、第２の結合器１２および第３の結合器１８は、選択的に分離されてもよく、第２の結合器の第１の部分１６が第２の部分１４から分離され、第３の結合器１８の第１の部分２０が第２の部分２２から分離される。
【０００９】
図８に示されたように、装置４は、結合器１８の第２の部分２２に連結した第２の結合器１２の第２の部分１４を有し、ショルダーストラップ１０が連続した輪を形成して、筐体３４なしで使用される。カメラ５０、カメラ取付けストラップ３０、および第１の結合器２４は、動き５６によって示されたように、輪になったショルダーストラップ１０と摺動可能に係合する。図９は、図８に示されたものと同じ装置を示し、さらに相互に分離した第１の結合器２４の第１の部分２８および第２の部分２６を有し、カメラを装置から分離し取り外すことができる。
【００１０】
図１０に示されたように、リストストラップ５８およびカメラ５０は、筐体３４に選択的に連結可能である。リストストラップ５８は、第３の結合器１８の第１の部分２０と係合するサイズおよび形状にされた第４の結合器６０を有する。第１の結合器２４の第２の部分２６は、第２の結合器１２の第１の部分１６と係合するサイズおよび形状である。
【００１１】
図１１は、第３の結合器１８の第１の部分２０と連結されたリストストラップ５８の第４の結合器６０を示し、したがってリストストラップは筐体３４と係合されている。第１の結合器２４の第２の部分２６は、第２の結合器１２の第１の部分１６に連結されている。取付けストラップ３０は、カメラ５０が筐体３４の内部領域３８内にあるときに、通路４８により筐体を通過することができる。
【００１２】
図１２は、カメラ取付けストラップ３０の第１の結合器２４の第２の部分２６と選択的に連結するサイズおよび形状にされたリストストラップ５８の第４の結合器６０を備えた装置を示す。この構成では、使用者は、リストストラップ５８のみを使用してカメラ５０を運搬し作動できる。
【００１３】
図１３に示されたように、取付けストラップ３０の第２の端部３１は、カメラ５０上に配置された代替の係合部分５２に取り付けられてもよい。
【００１４】
図１４は、閉位置にある扉４０および係合位置にある密閉具４２によって形成された通路４８を有する筐体３４を示す。取付けストラップ３０は、通路４８を通過することが可能である。図１５には、開位置にある扉４０および係脱位置にある密閉具４２が示されている。
【００１５】
図１６は、第２の結合器１２、および開口部４４の反対側に隣接した第３の結合器１８を有する筐体３４を示す。扉４０は、閉位置にあり、筐体３４の外部３６と扉との間に通路４８を形成する。図１７は、図１６に示された構成を示し、扉４０が開位置にあり、カメラを内部領域３８から外側６２に移送できるように、開口部４４が露出していることを示す。結合器２４は、動き５６によって示されたように、ショルダーストラップ１０と摺動可能に係合する。
【００１６】
既に述べたように、カメラ運搬筐体は、係合部分を有するカメラとともに使用するために説明されている。カメラ運搬筐体には、包囲された内部領域および壁によって画定された外部を有する筐体本体が含まれる。壁は、開口部を有し、開口部は、開口部を通って内部領域と外部との間をカメラが通過するサイズにされている。さらに筐体本体は、開口部に配置され、カメラを内部領域の内外に移動させるために開口部を通ってカメラが通過可能な開位置と、開口部を閉じる閉位置との間を選択的に移動可能な扉を有する。内部領域は、カメラをその中に完全に受け入れ、その中にカメラを有して閉位置に扉を移動させることができるようなサイズにされている。
【００１７】
さらにカメラ運搬筐体には、第１の端部および第２の端部を有するショルダーストラップが含まれ、それぞれが筐体本体の外部に取り付けられる。
【００１８】
また、解除可能に一緒に取り付けられた第１の部分および第２の部分を有する第１の結合器も含まれる。第１の結合器の第１の部分が、ショルダーストラップと摺動可能に係合し、ショルダーストラップに沿って十分な距離を摺動できるように構成されることにより、カメラの下げられた搬送位置とカメラの持ち上げられた操作位置との間をショルダーストラップに沿って第１の結合器が摺動して移動可能になる。
【００１９】
第１の端部および第２の端部を有するカメラ取付けストラップが含まれ、カメラ取付けストラップの第１の端部は、第１の結合器の第２の部分に取り付けられ、カメラ取付けストラップの第２の端部は、カメラの係合部分に取付け可能である。カメラ取付けストラップは、カメラが筐体本体の壁の開口部を通過し、第１の結合器の第１の部分が第１の結合器の第２の部分に取り付けられているときは、内部領域の中に完全に収まることが可能な長さを有する。筐体本体の扉は、扉が閉位置にあるときに、壁と扉との間の通路を画定するように構成されており、カメラ取付けストラップが通路を通って延在し、それによって扉が閉位置にあるときに、筐体本体の内部領域の内側から筐体本体の外部に通過可能なサイズにされている。
【００２０】
ショルダーストラップの第１の端部は、第２の結合器により筐体本体の外部に取り付けられ、ショルダーストラップの第２の端部は、第３の結合器により筐体本体の外部に取り付けられる。第２の結合器は、解除可能に一緒に取り付けられた第１の部分および第２の部分を有し、第２の結合器の第１の部分は筐体本体の外部に取り付けられ、第２の結合器の第２の部分はショルダーストラップの第１の端部に取り付けられる。第３の結合器は、解除可能に一緒に取り付けられた第１の部分および第２の部分を有し、第３の結合器の第１の部分は筐体本体の外部に取り付けられ、第３の結合器の第２の部分はショルダーストラップの第２の端部に取り付けられる。第１の結合器の第２の部分および第２の結合器の第１の部分は、第１の結合器の第２の部分が第１の結合器の第１の部分から分離され、第２の結合器の第１の部分が第２の結合器の第２の部分から分離された際に、解除可能に一緒に結合できるように構成されている。カメラ取付けストラップは、カメラが筐体本体の壁の開口部を通過し、第１の結合器の第２の部分が第２の結合器の第１の部分に取り付けられているとき、内部領域の中に完全に収まることが可能な長さを有し、それによってカメラ取付けストラップは、ショルダーストラップから選択的に分離し、筐体本体に直接連結することができる一方で、筐体本体の内部領域内に配置可能である。
【００２１】
第２の結合器の第１の部分は、第３の結合器の第１の部分が筐体本体の外部に取り付けられる位置より、開口部に近い位置で筐体本体の外部に取り付けられる。変形例として、第２の結合器の第１の部分は、開口部の第１の部分の近くの位置で筐体本体の外部に取り付けられてもよく、第３の結合器の第１の部分は、開口部の第１の部分から離間した開口部の第２の部分の近くの位置で筐体本体の外部に取り付けられてもよい。
【００２２】
さらにカメラ運搬筐体は、第３の結合器の第２の部分が第３の結合器の第１の部分から分離された際に、第３の結合器の第１の部分に解除可能に結合できるように構成された、第４の結合器に取り付けられたリストストラップを含んでもよい。それによって、ショルダーストラップを筐体本体から選択的に完全に分離し、リストストラップを、カメラ取付けストラップが筐体本体に選択的に直接連結された状態で、ショルダーストラップの代わりにリストストラップを使用して、筐体本体を運搬するために筐体本体に選択的に連結することができる。
【００２３】
したがって、本発明は、添付の特許請求の範囲以外によって限定されない。
【図１】
2013520689.tif 000003
【図２】
2013520689.tif 000004
【図３】
2013520689.tif 000005
【図４】
2013520689.tif 000006
【図５】
2013520689.tif 000007
【図６】
2013520689.tif 000008
【図７】
2013520689.tif 000009
【図８】
2013520689.tif 000010
【図９】
2013520689.tif 000011
【図１０】
2013520689.tif 000012
【図１１】
2013520689.tif 000013
【図１２】
2013520689.tif 000014
【図１３】
2013520689.tif 000015
【図１４】
2013520689.tif 000016
【図１５】
2013520689.tif 000017
【図１６】
2013520689.tif 000018
【図１７】
2013520689.tif 000019
【国際調査報告】
2013520689.tif 000020
2013520689.tif 000021